(57)【特許請求の範囲】
【請求項１】
温水が貯留される貯湯タンクと、前記貯湯タンクを収容するケーシングとを備えた貯湯ユニットであって、
前記ケーシングが、
底板と、
前記底板に取り付けられた保持具と、
前記保持具によって前記底板の外側において保持された側板とを有することを特徴とする貯湯ユニット。
【請求項２】
前記底板が、その外周部において上方に向かって延在する外壁部を有すると共に、
前記保持具が、前記外壁部が挿入される第１溝部を有することを特徴とする請求項１に記載の貯湯ユニット。
【請求項３】
前記外壁部が前記第１溝部に挿入された状態で前記保持具を前記底板に固定する固定手段を備えていることを特徴とする請求項２に記載の貯湯ユニット。
【請求項４】
前記底板は、略矩形状であって、
前記保持具が、前記底板の外壁部において角部に対応した位置に取り付けられることを特徴とする請求項２又は３に記載の貯湯ユニット。
【請求項５】
前記外壁部が、
前記底板の隣り合う２つの辺に沿って設けられた側壁部と、
前記底板の角部に対応した位置において、前記隣り合う２つの側壁部のそれぞれに対して傾斜した傾斜部とを有しており、
前記保持具が、前記傾斜部に取り付けられることを特徴とする請求項４に記載の貯湯ユニット。
【請求項６】
前記保持具が、前記側板の下端が挿入される第２溝部を有することを特徴とする請求項１〜５のいずれか１項に記載の貯湯ユニット。
【請求項７】
請求項１〜６のいずれか１項に記載の貯湯ユニットと、
前記貯湯タンクに貯留される温水を加熱する室外機とを備えた給湯装置。
【発明の詳細な説明】
【技術分野】
【０００１】
本発明は、温水を貯える貯湯タンクを有する貯湯ユニット及び給湯装置に関する。
【背景技術】
【０００２】
従来から、貯湯ユニットと室外機とを備えた給湯装置が知られている。貯湯ユニットは、特許文献１，２に示すように、温水を貯留する貯湯タンクと、貯湯タンクを収容するケーシングとを有するのが一般的である。
【先行技術文献】
【特許文献】
【０００３】
【特許文献１】特開２００７‐８５６５６号公報
【特許文献２】特開２００８‐３０９３９０号公報
【発明の概要】
【発明が解決しようとする課題】
【０００４】
ところで、図７（ｂ）に示すように、貯湯ユニットのケーシングは、底板５１０と、側板５２０と、天板（図示せず）とを有しており、略直方体形状に構成されている。そして、底板５１０の外周部には、上方へ向かって突出した外壁部５１３が設けられており、側板５２０の下端部の大部分は、外壁部５１３の外側に配置されるのに対し、その一部５２１ａが、外壁部５１３の内側に配置されており、側板５２０が底板５１０に倒れないように保持されるように構成されたものがある。したがって、このケーシングでは、側板５２０を底板５１０に固定する際には、側板５２０を外壁部５１３に保持した状態でビス６００により固定される。しかしながら、側板５２０の下端部の一部５２１ａが底板５１０の外壁部５１３の内側に配置されていることから、雨水がケーシング内部に浸入するという問題がある。
【０００５】
そこで、本発明は、ケーシング内部への雨水の侵入を防ぐことができる貯湯ユニット及びヒートポンプユニットを提供することを目的とする。
【課題を解決するための手段】
【０００６】
第１の発明に係る貯湯ユニットは、温水が貯留される貯湯タンクと、前記貯湯タンクを収容するケーシングとを備えた貯湯ユニットであって、前記ケーシングが、底板と、前記底板に取り付けられた保持具と、前記保持具によって前記底板の外側において保持された側板とを有する。
【０００７】
この貯湯ユニットでは、側板が、底板に取り付けられた保持具によって底板の外側において保持されることから、側板を底板に倒れないように保持するために、側板の下端部の一部を底板の内側に配置する必要がない。したがって、ケーシング内への雨水の浸入を防止できる。
【０００８】
第２の発明に係る貯湯ユニットは、第１の発明において、底板が、その外周部において上方に向かって延在する外壁部を有すると共に、前記保持具が、前記外壁部が挿入される第１溝部を有する。
【０００９】
この貯湯ユニットでは、底板の外壁部を保持具の第１溝部に挿入することによって、保持具を底板に容易に取り付けることができる。
【００１０】
第３の発明に係る貯湯ユニットは、第２の発明において、前記外壁部が前記第１溝部に挿入された状態で前記保持具を前記底板に固定する固定手段を備えている。
【００１１】
この貯湯ユニットでは、底板の外壁部を第１溝部に挿入した状態で保持具を固定手段により底板に固定することによって、保持具を底板に容易に固定できる。
【００１２】
第４の発明に係る貯湯ユニットは、第１〜３のいずれかの発明において、前記底板は、略矩形状であって、前記保持具が、前記底板の外壁部において角部に対応した位置に取り付けられる。
【００１３】
この貯湯ユニットでは、保持具が底板の外壁部の角部に対応した位置に取り付けられ、側板の２つの面を保持具により保持することによって、側板が底板に対する位置がずれるのを防止できる。
【００１４】
第５の発明に係る貯湯ユニットは、第４の発明において、前記外壁部が、前記底板の隣り合う２つの辺に沿って設けられた側壁部と、前記底板の角部に対応した位置において、前記隣り合う２つの側壁部のそれぞれに対して傾斜した傾斜部とを有しており、前記保持具が、前記傾斜部に取り付けられる。
【００１５】
この貯湯ユニットでは、保持具が、隣り合う２つの側壁部のそれぞれに対して傾斜した傾斜部に取り付けられることによって、保持具を支点として側板を外側に倒すような力が側板に作用した場合に、その力を底板の外壁部の傾斜部で受けることができることから、ケーシングの強度が向上する。
【００１６】
第６の発明に係る貯湯ユニットは、第１〜第５のいずれかの発明において、前記保持具が、前記側板の下端が挿入される第２溝部を有する。
【００１７】
この貯湯ユニットでは、側板の下端を第２溝部に挿入することによって、側板を保持具によって容易に保持できる。
【００１８】
第７の発明に係るヒートポンプユニットは、第１〜第６のいずれかの発明に係る貯湯ユニットと、前記貯湯タンクに貯留される温水を加熱する室外機とを備えている。
【００１９】
このヒートポンプユニットでは、貯湯ユニットにおいて、ケーシング内への雨水の浸入を防止できる。
【発明の効果】
【００２０】
以上の説明に述べたように、本発明によれば、以下の効果が得られる。
【００２１】
第１の発明では、側板が、底板に取り付けられた保持具によって底板の外側において保持できるようになっており、側板を底板に保持するために、側板の下端部の一部を底板の内側に配置する必要がない。したがって、ケーシング内への雨水の浸入を防止できる。
【００２２】
第２の発明では、底板の外壁部を保持具の第１溝部に挿入することによって、保持具を底板に容易に取り付けることができる。
【００２３】
第３の発明では、底板の外壁部を第１溝部に挿入した状態で保持具を固定手段により底板に固定することによって、保持具を底板に容易に固定できる。
【００２４】
第４の発明では、保持具が底板の外壁部の角部に対応した位置に取り付けられ、側板の２つの面を保持具により保持することによって、側板が底板に対する位置がずれるのを防止できる。
【００２５】
第５の発明では、保持具が、隣り合う２つの側壁部のそれぞれに対して傾斜した傾斜部に取り付けられることによって、保持具を支点として側板を外側に倒すような力が側板に作用した場合に、その力を底板の外壁部の傾斜部で受けることができることから、ケーシングの強度が向上する。
【００２６】
第６の発明では、側板の下端を第２溝部に挿入することによって、側板を保持具によって容易に保持できる。
【００２７】
第７の発明では、貯湯ユニットにおいて、ケーシング内への雨水の浸入を防止できる。
【図面の簡単な説明】
【００２８】
【図１】本発明の第１実施形態に係る給湯装置の貯湯ユニットの外観斜視図である。
【図２】図１に示したケーシングの分解図である。
【図３】図２に示した底板の斜視図である。
【図４】（ａ）は保持具の斜視図であり、（ｂ）は保持具の平面図であり、（ｃ）は保持具の底面図であり、（ｄ）は図４（ｃ）に示すＩＶＤ‐ＩＶＤ線に沿った断面図である。
【図５】保持具を底板に取り付けた状態を示す図である。
【図６】（ａ）は保持具を底板に取り付けた状態を示す平面図であり、（ｂ）は保持具を底板に取り付けた状態を示す底面図である。
【図７】（ａ）は側板が保持具に保持された状態を示す図であり、（ｂ）は従来の給湯装置において側板が底板に保持された状態を示す図である。
【図８】本発明の第２実施形態に係る貯湯ユニットのケーシングの底板の斜視図である。
【図９】（ａ）は保持具の斜視図であり、（ｂ）は保持具の平面図であり、（ｃ）は保持具の底面図である。
【図１０】保持具を底板に取り付けた状態を示す図である。
【図１１】（ａ）は保持具を底板に取り付けた状態を示す平面図であり、（ｂ）は保持具を底板に取り付けた状態を示す底面図である。
【図１２】本発明の第３実施形態に係る貯湯ユニットのケーシングの底板の斜視図である。
【図１３】（ａ）は保持具の斜視図であり、（ｂ）は保持具の平面図であり、（ｃ）は保持具の底面図であり、（ｄ）は保持具の一部拡大図である。
【図１４】保持具を底板に取り付けた状態を示す図である。
【図１５】（ａ）は保持具を底板に取り付けた状態を示す平面図であり、（ｂ）は保持具を底板に取り付けた状態を示す底面図である。
【発明を実施するための形態】
【００２９】
〔第１実施形態〕
以下、本発明の第１実施形態について説明する。
【００３０】
給湯装置は、給湯端末に温水を供給する装置であって、温水を貯留する貯留タンク１を有する貯湯ユニット１００（図１参照）と、貯湯タンク１に貯留される温水を加熱する室外機（図示せず）とを備えている。図１（ａ）には貯湯ユニット１００を正面側からみた斜視図を示しており、図１（ｂ）には貯湯ユニット１００を背面側からみた斜視図を示している。
【００３１】
（貯湯ユニット）
図１に示すように、貯湯ユニット１００は、貯湯タンク１と、貯湯タンク１を収容した略直方体状のケーシング２とを有する。
【００３２】
<ケーシング> 
図２に示すように、ケーシング２は、底板１０と、側板２０，３０と、フロントパネル４０と、天板５０とを有する。底板１０の下端部には、脚部１１が取り付けられている。
【００３３】
図３に示すように、底板１０は、略矩形状の底部１２と、底部１２の外周部において上方に向けて延在した外壁部１３とを有した略矩形状の部材である。外壁部１３は、底板１０のそれぞれの辺に沿って設けられた４つの側壁部１４ａ，１４ｂ，１４ｃ，１４ｄと、２つの傾斜壁部（傾斜部）１５ａ，１６ａとを有する。傾斜壁部１５ａは、底板１０の角部に対応した右角部１０ａにおいて、隣り合う２つの側壁部１４ｂ，１４ｃのそれぞれに対して傾斜している。傾斜壁部１６ａは、底板１０の角部に対応した左角部１０ｂにおいて、隣り合う２つの側壁部１４ｃ，１４ｄのそれぞれに対して傾斜している。傾斜壁部１５ａ，１６ａには、それぞれ、外壁部１３の厚み方向に貫通した貫通孔１５ｂ，１６ｂが形成されている。底板１０の外壁部１３の側壁部１４ｃにおいて、右角部１０ａと左角部１０ｂとの間には、内側に向けて凹んだ凹部１３ｓが形成されている。凹部１３ｓは、後述する側板２０の一部である固定面２１ａに対応するように設けられている（図２参照）。
【００３４】
図２に示すように、側板２０，３０は、いずれも略９０度に折れ曲がっており、側板２０，３０、フロントパネル４０及びフロントパネル４０の下方に設けられた給水パネル４１によって、ケーシング２の側面部が構成される。ケーシング２の背面の一部を構成する側板２０の背面部２１には、側板３０を側板２０に対して固定するための固定面２１ａが設けられている。固定面２１ａは、背面部２１より内側に配置されており、側板３０の背面部３１に固定される。天板５０は、側板２０，３０及びフロントパネル４０により形成された空間の上端を塞ぐ。
【００３５】
また、底板１０、側板２０，３０、フロントパネル４０、給水パネル４１及び天板５０には、ビスが挿通可能な複数の穴（図２において、図示せず）が形成されている。図３に示すように、外壁部１３の側壁部１４ｂ，１４ｃ，１４ｄにおいて、右角部１０ａ及び左角部１０ｂには、それぞれ、傾斜壁部１５ａ，１６ａを挟んで互いに反対側の位置に、穴１７ｐ，１７ｑ，１８ｐ，１８ｑが形成されている。
【００３６】
次に、図４を参照しつつ、底板１０の右角部１０ａ及び左角部１０ｂに取り付けられる保持具６０の構成について説明する。
【００３７】
<保持具６０>
図４に示すように、保持具６０は、本体部６１と、本体部６１の内周側に設けられた内周壁６２と、本体部６１の外周側に設けられた外周壁６３とを有する。そして、本体部６１と内周壁６２との間には、下方に向けて開口した溝（第１溝部）６４が形成され、本体部６１と外周壁６３との間には、上方に向けて開口した溝（第２溝部）６５が形成されている。また、保持具６０は、例えば樹脂により形成されている。
【００３８】
保持具６０の内周側に形成された溝６４は、保持具６０を底板１０に取り付けるためのものである。本実施形態では、保持具６０が、底板１０の右角部１０ａ及び左角部１０ｂにそれぞれ取り付けられることから、保持具６０の溝６４には、底板１０の傾斜壁部１５ａ，１６ａがそれぞれ挿入される。溝６４は、傾斜壁部１５ａ，１６ａに沿った直線状に形成されている。
【００３９】
また、保持具６０の外周側に形成された溝６５は、側板２０，３０を保持具６０に保持するためのものである。したがって、保持具６０の溝６５には、図２に示す側板２０，３０の下端部の角部２０ａ，３０ａが挿入される。溝６５は、側板２０，３０の下端部の角部２０ａ，３０ａに沿った曲線状に形成されている。
【００４０】
図４（ｃ）に示すように、本体部６１と内周壁６２との間の溝６４内において、本体部６１側の面（本体部６１の内周面）６１ａには、内周壁６２に向けて突出した一対のリブ６７ａ，６７ｂが設けられている。リブ６７ａ，６７ｂの下端部（溝６４において底板１０の外壁部１３の挿入方向の上流側の端部）は、後述するように、下端に近付くにつれて内周壁６２から離れるように傾斜している（図５参照）。また、本体部６１の左右両端には、それぞれ、外側に向けて突出した突起６８ａ，６８ｂが設けられている。
【００４１】
図４（ｃ）に示すように、本体部６１と内周壁６２との間の溝６４内において、内周壁６２側の面には、本体部６１に向けて突出した突起６２ａが形成されている。突起６２ａは、底板１０の傾斜壁部１５ａ，１６ａが溝６４に挿入されたときに、傾斜壁部１５ａ，１６ａに形成された貫通孔１５ｂに挿通する（図４（ｄ）参照）。そして、底板１０の傾斜壁部１５ａ，１６ａが溝６４に挿入された状態で、保持具６０が傾斜壁部１５ａ，１６ａに固定される。このように、本体部６１の内周壁６２に設けられた突起６２ａと、底板１０の外壁部１３に形成された貫通孔１５ｂ，１６ｂとにより、保持具６０を底板１０の外壁部１３に対して固定する固定手段が構成されている。
【００４２】
次に、図５，６を参照しつつ、保持具６０を底板１０の右角部１０ａに取り付けたときの状態を説明する。図５（ｂ）には、図５（ａ）のＶＢ−ＶＢ線に沿った断面図を示している。なお、保持具６０を底板１０の左角部１０ｂに取り付けたときの状態は、底板１０の右角部１０ａに取り付けたときの状態と同様である。また、図５（ａ）では、側板２０を２点鎖線で示している。
【００４３】
図５，６に示すように、保持具６０の内周側の溝６４には、底板１０の傾斜壁部１５ａが挿入されており、外周側の溝６５には、側板２０の下端部の角部２０ａが挿入されている。したがって、側板２０の下端部は、保持具６０の本体部６１の外周面と、外周壁６３の内周面によって、底板１０の外壁部１３の外側で保持されている。また、１枚の側板２０は、角部２０ａにおいて、１つの保持具６０によって保持されている。
【００４４】
傾斜壁部１５ａを溝６４に挿入するときは、傾斜壁部１５ａをリブ６７ａ，６７ｂの下端部の傾斜面に沿って溝６４に挿入する。傾斜壁部１５ａが溝６４に挿入されると、突起６２ａが貫通孔１５ｂに嵌まり、保持具６０が傾斜壁部１５ａに対して固定される。
【００４５】
また、図６に示すように、突起６８ａ，６８ｂにより、溝６４の左右両側が塞がれる。
【００４６】
図５において、保持具６０を支点として、側板２０を外側に倒すような外力が側板２０に作用したとき（外力が図５に示す矢印の方向に向けて側板２０に作用したとき）、その外力が保持具６０に作用し、傾斜することにより、本体部６１の内周面６１ａが傾斜壁部１５ａに接触し、側板２０を倒す力を傾斜壁部１５ａで受けることができる。
【００４７】
次に、図７を参照しつつ、側板２０が保持具６０に保持された状態を説明する。図７（ｂ）には、従来の給湯装置のケーシングの下端部の構成を示している。また、図７では、底板１０，５１０の下端に取り付けられた脚部１１及び側板３０を省略している。
【００４８】
図７（ａ）に示すように、本実施形態では、側板２０が、底板１０の外壁部１３の外側において、底板１０に取り付けられた保持具６０により保持されている。側板２０の固定面２１ａは、外壁部１３の凹部１３ｓの外側に配置される。側板２０は、底板１０の外壁部１３の外側において、保持具６０により保持された状態で底板１０にビス（図示せず）により固定されている。
【００４９】
図７（ｂ）に示すように、従来のケーシングは、底板５１０と、側板５２０と、側板３０と、天板（図示せず）とを有しており、略直方体形状に構成されている。底板５１０の下端には図示しない脚部１１が取り付けられており、底板５１０の下方には空間が形成されている。底板５１０は、底部５１２と、底部５１２の外周部において上方に向けて延在した外壁部５１３を有する。側板５２０の背面部５２１には、側板３０を側板５２０に対して固定するための固定面５２１ａが設けられている。
【００５０】
側板５２０の固定面５２１ａは、背面部５２１より内側に設けられており、底板５１０の外壁部５１３の内側に配置される。側板５２０は、底板５１０に対して倒れないように、底板５１０の外壁部５１３に保持される。そして、側板５２０を外壁部５１３に保持した状態で、側板５２０が外壁部５１３にビス６００により固定されている。従来のケーシングでは、上記構成から、ビス６００を外したら、側板５２０が底板５１０の外壁部５１３に対して位置がずれ、側板５２０に形成されたビス６００が挿通するビス穴（図示せず）が外壁部５１３に形成されたビス穴（図示せず）に対してずれる。これらのビス穴を合わせることは難しい。
【００５１】
本実施形態では、図７（ａ）に示すように、側板２０が底板１０に取り付けられた保持具６０に保持されることから、側板２０を底板１０の外壁部１３に固定したビス（図示せず）を外しても、側板２０が底板１０の外壁部１３に対して位置がずれることがなく、外壁部１３に形成されたビス穴（図示せず）と側板２０に形成されたビス穴（図示せず）とが連通する。
【００５２】
以上のように、本実施形態の給湯装置では、側板２０，３０を、底板１０に取り付けられた保持具６０によって底板１０の外壁部１３の外側において保持できるようになっており、側板２０，３０を底板１０に保持するために、側板２０，３０の下端部の一部を底板１０の外壁部１３の内側に配置する必要がない。したがって、ケーシング２内への雨水の浸入を防止できる。
【００５３】
また、本実施形態の給湯装置では、底板１０の外壁部１３を保持具６０の溝６４に挿入することによって、保持具６０を底板１０に容易に取り付けることができる。
【００５４】
さらに、本実施形態の給湯装置では、底板１０の傾斜壁部１５ａ，１６ａを溝６４に挿入したら、突起６４ａが傾斜壁部１５ａ，１６ａの貫通孔１５ｂ，１６ｂに嵌まり、底板１０の傾斜壁部１５ａ，１６ａを溝６４に挿入した状態で保持具６０を底板１０に固定することによって、保持具６０を底板１０に容易に固定できる。
【００５５】
加えて、本実施形態の給湯装置では、保持具６０が外壁部１３の角部に対応した右角部１０ａ及び左角部１０ｂに取り付けられ、側板２０，３０の２つの面を保持具６０によって保持することによって、側板２０が底板１０に対して位置がずれるのを防止できる。
【００５６】
また、本実施形態の給湯装置では、保持具６０が、傾斜壁部１５ａ，１６ａに取り付けられることによって、保持具６０を支点として側板２０，３０を外側に倒すような外力が側板２０，３０に作用した場合に、その外力を傾斜壁部１５ａ，１６ａで受けることができることから、ケーシング２の強度が向上する。
【００５７】
さらに、本実施形態の給湯装置では、側板２０，３０の下端部の角部２０ａ，３０ａを溝６５に挿入することによって、側板２０，３０を保持具６０により容易に保持できる。
【００５８】
〔第２実施形態〕
次に、本発明の第２実施形態について説明する。第２実施形態に係る給湯装置では、第１実施形態で、底板１０が傾斜壁部１５ａ，１６ａを有しており、保持具６０が底板１０の傾斜壁部１５ａ，１６ａに取り付けられるのに対して、第２実施形態では、底板２１０が傾斜壁部を有しないで、保持具２６０が、底板２１０の角壁部２１４ａ，２１５ｂに取り付けられる点において、第１実施形態に係る給湯装置と異なっている。なお、その他の構成は、上記第１実施形態と同様であるため、同じ符号を用いて適宜その説明を省略する。
【００５９】
図８に示すように、第２実施形態の給湯装置のケーシングの底板２１０は、略矩形状の底部２１２と、底部２１２の外周部において上方に向けて延在した外壁部２１３とを有する。外壁部２１３は、底板２１０のそれぞれの辺に沿って設けられた４つの側壁部２１４ａ，２１４ｂ，２１４ｃ，２１４ｄと、２つの角壁部２１５ａ，２１６ａとを有する。角壁部２１５ａ，２１６ａは、それぞれ、底板２１０の外壁部２１３の４つの角部に対応する部分のうちの右角部２１０ａ及び左角部２１０ｂに設けられている。底板２１０の外壁部２１３の側壁部２１４ｃにおいて、右角部２１０ａ及び左角部２１０ｂとの間には、内側に向けて凹んだ凹部２１３ｓが形成されている。凹部２１３ｓは、側板２０の一部である固定面２１ａに対応するように設けられている。
【００６０】
次に、図９を参照しつつ、底板２１０の右角部２１０ａ及び左角部２１０ｂに取り付けられる保持具２６０の構成について説明する。
【００６１】
<保持具２６０>
図９に示すように、保持具２６０は、本体部２６１と、本体部２６１の外周側に設けられた外周壁２６３とを有する。そして、本体部２６１には、その外周側において下方に向けて開口した溝（第１溝部）２６４が形成され、本体部２６１と外周壁２６３との間には、上方に向けて開口した溝（第２溝部）２６５が形成されている。なお、保持具２６０のその他の構成は、保持具６０の構成と同様であるため、説明を省略する。
【００６２】
保持具２６０の本体部２６１に形成された溝（保持具２６０の内周側の溝）２６４は、保持具２６０を底板２１０に取り付けるためのものである。本実施形態では、保持具２６０が、底板２１０の右角部２１０ａ及び左角部２１０ｂにそれぞれ取り付けられることから、保持具２６０の溝２６４には、底板２１０の角壁部２１５ａ，２１６ａがそれぞれ挿入される。溝２６４は、底板２１０の角壁部２１５ａ，２１６ａに沿った曲線状に形成されている。
【００６３】
また、保持具２６０の外周側に形成された溝２６５は、側板２０，３０を保持具２６０に保持するためのものである。したがって、保持具２６０の溝２６５には、側板２０，３０の下端部の角部２０ａ，３０ａ（図２参照）が挿入される。溝２６５は、側板２０，３０の下端部の角部２０ａ，３０ａに沿った曲線状に形成されている。
【００６４】
図１０，１１に示すように、保持具２６０の内周側の溝２６４には、底板２１０の角壁部２１５ａが挿入されており、外周側の溝２６５には、側板２０の下端部の角部２０ａが挿入されている。したがって、側板２０の下端部は、保持具２６０の本体部２６１の外周面と、外周壁２６３の内周面によって、底板２１０の外壁部２１３の外側で保持されている。また、側板２０は、角部２０ａにおいて、１つの保持具２６０によって保持されている。なお、図１０（ａ）では、側板２０を２点鎖線で示しており、図１０（ｂ）には、図１０（ａ）に示すＸＢ‐ＸＢ線に沿った断面図を示している。
【００６５】
以上のように、本実施形態の給湯装置では、第１実施形態の給湯装置と同様に、側板２０，３０を、底板２１０に取り付けられた保持具２６０によって底板２１０の外壁部２１３の外側において保持できるようになっており、側板２０，３０を底板２１０に保持するために、側板２０，３０の下端部の一部を底板２１０の外壁部２１３の内側に配置する必要がない。したがって、ケーシング内への雨水の浸入を防止できる。
【００６６】
〔第３実施形態〕
次に、本発明の第３実施形態について説明する。第３実施形態に係る給湯装置では、第１実施形態で、底板１０が傾斜壁部１５ａ，１６ａを有しており、保持具６０が底板１０の傾斜壁部１５ａ，１６ａに取り付けられるのに対して、第３実施形態では、底板３１０が傾斜壁部を有しないで、保持具３６０が、底板３１０の側壁部３２１，３２２，３２３に取り付けられる点において、第１実施形態に係る給湯装置と異なっている。なお、その他の構成は、上記第１実施形態と同様であるため、同じ符号を用いて適宜その説明を省略する。
【００６７】
図１２に示すように、第３実施形態の給湯装置のケーシングの底板３１０は、略矩形状の底部３１２と、底部３１２の外周部において上方に向けて延在した外壁部３１３とを有する。外壁部３１３は、底板３１０のそれぞれの辺に沿って設けられた４つの側壁部３２１，３２２，３２３，３２４を有する。側壁部３２１，３２２，３２３，３２４は、それぞれ、底板３１０の外壁部３１３において、角部と角部との間に設けられている。側壁部３２１，３２２，３２３は、底部３１２の辺に沿って設けられている。側壁部３２２，３２３，３２４には、内側に向けて凹んだ凹部３２２ｓ，３２３ｓ，３２３ｐ，３２４ｓが形成されている。また、外壁部３１３の側壁部３２３において、凹部３２３ｓと凹部３２３ｐの間には、内側に向けて凹んだ凹部３１３ｓが形成されている。凹部３１３ｓは、側板２０の一部である固定面２１ａに対応するように設けられている。
【００６８】
底板３１０の外壁部３１３において、側壁部３２２には、凹部３２２ｓを挟んで互いに反対側に貫通孔３２２ａ，３２２ｂが形成されている。同様に、底板３１０の外壁部３１３において、側壁部３２３には、凹部３２３ｓ，３２３ｐを挟んで互いに反対側に貫通孔３２３ａ，３２３ｂ，３２３ｃ，３２３ｄが形成されている。同様に、底板３１０の外壁部３１３において、側壁部３２４には、凹部３２４ｓを挟んで互いに反対側に貫通孔３２４ａ，３２４ｂが形成されている。
【００６９】
次に、図１３を参照しつつ、底板３１０の凹部３２２ｓ，３２３ｓ，３２３ｐ，３２４ｓに取り付けられる保持具３６０の構成について説明する。図１３（ｄ）には、保持具３６０の縁部３６６を示している。
【００７０】
<保持具３６０>
図１３に示すように、保持具３６０は、本体部３６１と、本体部３６１の内周側に設けられた内周壁３６２と、本体部３６１の外周側に設けられた外周壁３６３とを有する。内周壁３６２には内側に凹んだ凹部が形成されており、本体部３６１は内周壁３６２の凹部の内部に配置されるように構成されている。そして、本体部３６１と内周壁３６２との間には、下方に向けて開口した溝（第１溝部）３６４が形成され、本体部３６１と外周壁３６３との間には、上方に向けて開口した溝（第２溝部）３６５が形成されている。なお、保持具３６０のその他の構成は、保持具６０の構成と同様であるため、説明を省略する。
【００７１】
保持具３６０の内周側に形成された溝３６４は、保持具３６０を底板３１０に取り付けるためのものである。本実施形態では、保持具３６０が、底板３１０の側壁部３２２，３２３，３２４にそれぞれ取り付けられることから、保持具３６０の溝３６４には、底板１０の側壁部３２２，３２３，３２４の凹部３２２ｓ，３２３ｓ，３２３ｐ，３２４ｓの底部がそれぞれ挿入される。溝３６４は、凹部３２２ｓ，３２３ｓ，３２３ｐ，３２４ｓの底部に沿った直線状に形成されている。
【００７２】
また、保持具３６０の外周側に形成された溝３６５は、側板２０，３０を保持具３６０に保持するためのものである。したがって、保持具３６０の溝３６５には、側板２０，３０の下端部の側部（例えば、図２に示す側部２０ｂ，２０ｃ，３０ｂ）が挿入される。溝３６５は、側板２０，３０の下端部の側部２０ｂ，２０ｃ，３０ｂに沿った直線状に形成されている。
【００７３】
図１３（ａ）に示すように、本体部３６１と内周壁３６２との間の溝３６４内において、本体部３６１側の面（本体部３６１の内周面）３６１ａの下端部（溝３６４において底板３１０の外壁部３１３の挿入方向の上流側の端部）は、本体部３６１の下端に近付くにつれて内周壁３６２から離れるように傾斜している。
【００７４】
また、図１３に示すように、内周壁３６２は、その凹部を挟んで互いに反対側に設けられた縁部３６６，３６７を有しており、縁部３６６，３６７には、それぞれ、突起３６６ａ，３６７ａが形成されている。突起３６６ａ，３６７ａは、それぞれ、底板３１０の外壁部３１３の凹部３２２ｓが溝３６５に挿入されたときに、底板３１０の側壁部３２１の貫通孔３２２ａ，３２２ｂに挿通し（図１３（ｄ）参照）、保持具３６０が底板３１０の外周壁３６３の側壁部３２２に固定される。このように、保持具３６０の内周壁３６２に設けられた突起３６６ａ，３６７ａと、底板３１０の外周壁３６３に形成された貫通孔３２２ａ，３２２ｂとにより、保持具３６０を底板３１０の外周壁３６３の側壁部３２２に対して固定する固定手段が構成されている。同様に、縁部３６６，３６７の突起３６６ａ，３６７ａは、それぞれ、底板３１０の外壁部３１３の凹部３２３ｓ，３２３ｐ，３２４ｓが溝３６５に挿入されたときに、底板３１０の側壁部３２３の貫通孔３２３ａ，３２３ｂ，３２３ｃ，３２３ｄ及び底板３１０の側壁部３２４の貫通孔３２４ａ，３２４ｂに挿通し、保持具３６０が底板３１０の外周壁３６３の側壁部３２３，３２４に固定される。このように、保持具３６０の内周壁３６２に設けられた突起３６６ａ，３６７ａと、底板３１０の外周壁３６３に形成された貫通孔３２３ａ，３２３ｂ，３２３ｃ，３２３ｄ，３２４ａ，３２４ｂとにより、保持具３６０を底板３１０の外周壁３６３の側壁部３２３，３３４に対して固定する固定手段が構成されている。
【００７５】
図１４，１５に示すように、保持具３６０の内周側の溝３６４には、底板３１０の外壁部３１３の凹部３２２ｓが挿入されており、外周側の溝３６５には、側板２０の下端部の側部２０ｂが挿入されている。したがって、側板２０の下端部の側部２０ｂは、保持具３６０の本体部３６１の外周面と、外周壁３６３の内周面によって、底板３１０の外壁部３１３の外側で保持されている。また、側板２０は、側部２０ｂ，２０ｃにおいて、２つの保持具３６０によって保持されている。なお、図１４（ａ）では、側板２０を２点鎖線で示しており、図１４（ｂ）には、図１４に示すＢ‐Ｂ線に沿った断面図を示している。
【００７６】
底板３１０の外壁部３１３の凹部３２２ｓを溝３６４に挿入するときは、凹部３２２ｓを本体部３６１の傾斜した内周面３６１ａに沿って溝３６４に挿入する。凹部３２２ｓが溝３６４に挿入されると、突起３６６ａ，３６７ａがそれぞれ底板３１０の側壁部３２２の貫通孔３２１ａ，３２１ｂに嵌まり、保持具３６０が底板３１０の側壁部３２２に固定される。
【００７７】
以上のように、本実施形態の給湯装置では、第１実施形態の給湯装置と同様に、側板２０，３０を、底板３１０に取り付けられた保持具３６０によって底板３１０の外壁部３１３の外側において保持できるようになっており、側板２０，３０を底板３１０に保持するために、側板２０，３０の下端部の一部を底板３１０の外壁部３１３の内側に配置する必要がない。したがって、ケーシング内への雨水の浸入を防止できる。
【００７８】
以上、本発明の実施形態について図面に基づいて説明したが、具体的な構成は、これらの実施形態に限定されるものでないと考えられるべきである。本発明の範囲は、上記した実施形態の説明ではなく特許請求の範囲によって示され、さらに特許請求の範囲と均等の意味および範囲内でのすべての変更が含まれる。
【００７９】
例えば、上述の第１実施形態及び第２実施形態では、１つの側板２０，３０を、角部２０ａ，３０ａにおいて、１つの保持具６０，２６０によって保持し、上述の第３実施形態では、１つの側板２０，３０を、側部２０ｂ，２０ｃ，３０ｂにおいて、２つの保持具３６０によって保持した場合について説明したが、１つの側板２０，３０を保持する保持具の数は変更可能なものである。したがって、例えば、１つの側板２０，３０を、角部に取り付けられる保持具６０及び側部に取り付けられる保持具３６０によって保持してもよい。
【００８０】
また、上述の第１実施形態では、底板１０の外周壁６３に形成された貫通孔１５ｂ，１６ｂと、保持具６０の内周壁６２に設けられた突起６２ａとにより、保持具６０を底板１０の外周壁６３に対して固定する固定手段が構成されており、上述の第３実施形態では、底板３１０の外周壁３６３に形成された貫通孔３２２ａ，３２２ｂ，３２３ａ，３２３ｂ，３２３ｃ，３２３ｄ，３２４ａ，３２４ｂと、保持具３６０の内周壁３６２に設けられた突起３６６ａ，３６７ａとにより、保持具３６０を底板３１０の外周壁３６３に対して固定する固定手段が構成されているが、第１実施形態及び第３実施形態において、第２実施形態と同様に、固定手段が設けられていなくてもよい。
【００８１】
また、上述の第１実施形態では、保持具６０にリブ６７ａ，６７ｂ及び突起６８ａ，６８ｂが設けられており、リブ６７ａ，６７ｂの下端部（溝６４において底板１０の外壁部１３の挿入方向の上流側の端部）が傾斜している場合について説明したが、保持具６０にリブ６７ａ，６７ｂ及び突起６８ａ，６８ｂが設けられていなくてもよい。また、リブ６７ａ，６７ｂの下端部が傾斜していなくてもよい。
【００８２】
また、上述の第３実施形態では、保持具３６０の本体部３６１の内周面３６１ａの下端部（溝３６４において底板３１０の外壁部３１３の挿入方向の上流側の端部）が傾斜している場合について説明したが、保持具３６０の本体部３６１の内周面３６１ａが傾斜していなくてもよい。
【００８３】
また、上述の第２実施形態では、保持具２６０を底板２１０に対して固定する固定手段、リブが設けられておらず、且つ、底板２１０の外壁部２１３を保持具２６０の溝２６４に挿入しやすくする傾斜面が設けられていない場合について説明したが、上記固定手段、リブ及び傾斜面が設けられていてもよい。
【００８４】
また、上述の第１〜第３実施形態では、底板１０，２１０，３１０の下端に脚部１１が取り付けられている場合について説明したが、底板１０，２１０，３１０の下端に脚部１１が取り付けられていなくてもよい。
【産業上の利用可能性】
【００８５】
本発明を利用すれば、貯湯ユニットのケーシング内部への雨水の侵入を防ぐことができる。
【符号の説明】
【００８６】
１  貯湯タンク
２  ケーシング
２０，３０，５２０  側板
２１ａ，５２１ａ  固定面
１０，２１０，３１０，５１０  底板
１２，２１２，３１２，５１２  底部
１３，２１３，３１３，５１３  外壁部
１３ｓ，２１３ｓ，３１３ｓ，３２２ｓ，３２３ｓ，３２３ｐ，３２４ｓ  凹部
１０ａ，２１０ａ  右角部
１０ｂ，２１０ｂ  左角部
１５ａ，１６ａ  傾斜壁部（傾斜部）
１５ｂ，１６ｂ，３２２ａ，３２２ｂ，３２３ａ，３２３ｂ，３２３ｃ，３２３ｄ，３２４ａ，３２４ｂ  貫通孔
２０ａ，３０ａ  角部
２１ａ  固定面
６０，２６０，３６０  保持具
６１，２６１，３６１  本体部
６１ａ，３６１ａ  内周面
６２，３６２  内周壁
６３，２６３，３６３  外周壁
６４，２６４，３６４  溝（第１溝部）
６５，２６５，３６５  溝（第２溝部）
６２ａ，３６６ａ，３６７ａ  突起
１００  貯湯ユニット
２１５ａ，２１６ａ  角壁部
１４ａ，１４ｂ，１４ｃ，１４ｄ，２１４ａ，２１４ｂ，２１４ｃ，２１４ｄ，３２１，３２２，３２３，３２４      側壁部
３６６，３６７  縁部
【図１】
0005201198.tif 000002
【図２】
0005201198.tif 000003
【図３】
0005201198.tif 000004
【図４】
0005201198.tif 000005
【図５】
0005201198.tif 000006
【図６】
0005201198.tif 000007
【図７】
0005201198.tif 000008
【図８】
0005201198.tif 000009
【図９】
0005201198.tif 000010
【図１０】
0005201198.tif 000011
【図１１】
0005201198.tif 000012
【図１２】
0005201198.tif 000013
【図１３】
0005201198.tif 000014
【図１４】
0005201198.tif 000015
【図１５】
0005201198.tif 000016